(57)【要約】【課題】  介護用歩行器に使用されているスイングフレームを使用時の立上り位置に確実に固持し、更に不要時には水平位置に回動出来るように固持を開放し、水平位置においても固持状態にすると共に使用時にはその固持を開放するようにした介護用歩行器におけるスイングフレームの保持固定具を提供する。【解決手段】  介護用歩行器におけるスイングフレームの保持固定具は立上り時に使用する後部保持固定具１００と収納時の水平状態において使用する前部保持固定具２００よりなる。固持や開放は夫々の固定具の係着部の作動によって行われ、確実な固持とその開放を行う事が出来る。【選択図】図１
0003203836.tif 000002
【実用新案登録請求の範囲】
【請求項１】
クロスフレームを介設し下面にキャスタを連結する左右のベースフレームと前記クロスフレームの近傍に併設されるベース板を有し該ベース板の左右端から立上り前記ベースフレーム側に回動可能に枢支されるスイングフレームと該スイングフレームに回動可能に、かつ取り外し可能に保持され人間の尻部を支持する座面シート等とを有する介護用歩行器の前記スイングフレームを水平状態や立上り状態に固持すると共に固持を開放すべく形成される前後の保持固定具であって、該保持固定具の内の後部保持固定具は、前記スイングフレームの下面側に配置され前記クロスフレームに左右及び前後に移動可能に取り付けられその先端部に前記スイングフレームの下方側に係着すると共に前記ベースフレーム側に固定されるロックスライダに係着する係着部を有するストッパープレート及びロックスライダとからなり、前記ロックスライダは前記ベースフレームに固着する後部サポート本体と該後部サポート本体に移動可能にスプリング保持され前記ストッパープレートの係着部に係着する係着部を形成する後部係着スライダとからなり、前記保持固定具の内の前部保持固定具は、前記ベースフレームに固着する前部サポート本体と該前部サポート本体に移動可能にスプリング保持されると共に前記スイングフレームに凹設されている凹溝に着脱可能に係着する係着部を有する前部係着スライダと該前部係着スライダの前記係着部が前記スライダフレームの凹溝から開放された状態において前記前部係着スライダをその位置に保持する保持プレートを左右の前記保持固定具のいずれかに形成するものからなり、前記後部保持固定具は前記スイングフレームを立上り状態に保持固定するものからなり、前記前部保持固定具は前記スイングフレームを水平状態に保持固定するものからなることを特徴とする介護用歩行器におけるスイングフレームの保持固定具。
【考案の詳細な説明】
【技術分野】
【０００１】  本考案は、介護用歩行器を構成しているスイングフレームを使用時における立上り位置に固定保持したり、用済で収納する場合の水平位置に折り畳保持するに必要な保持固定具に関する。
【背景技術】
【０００２】  介護用歩行器としては各種のものがあるがいずれのものも使用時と収納時においては保持形態を変えることが必要である。この場合使用状態や収納状態に前記介護用歩行器を保持固定することが必要であり、そのための用具が必要となる。この用具としては当然各種のものがあり、歩行器の形態に合わせたものが必要となるが、それに見合う従来技術は中々思い出す事が出来ない。そこで、連結具や固定具についての先行技術を調査した結果「特許文献１」や「特許文献２」が挙げられる。
【先行技術文献】
【特許文献】
【０００３】
【特許文献１】特開２０１４−１５０８１２（図１）
【特許文献２】特開２０１４−８１６９４（図１）
【考案の概要】
【考案が解決しようとする課題】
【０００４】  「特許文献１」の「特開２０１４−１５０８１２号」は｛連結具」に関するものであり連結やその開放に便利のものではあるが後に説明する本考案には適するものではない。また、「特許文献２」の「特開２０１４−８１６９４号」の着脱可能な「挟着固定具」も構造簡単で取扱性や信頼性に優れるものであるが本考案に適用することは難しいものである。【０００５】  歩行器としては後に説明する本考案の介護用歩行器であって、座面シートを着脱可能に設けたスイングアームを立上り状態や収納のための水平状態にする介護用歩行器の場合にそれ等の状態において保持固定が確実に出来、保持固持からも簡単に、かつ確実に開放出来る保持固定具が要請される。【０００６】  本考案は前記の要請に鑑みて考案されたものであり、スイングアームが立上り状態や収納時の水平状態において確実に保持固定されると共に保持固定の開放が容易に、かつ確実に出来、比較的安価に製作し得る介護用歩行器におけるスイングフレームの保持固定具を提供する事を目的とする。
【課題を解決するための手段】
【０００７】  本考案は、以上の目的を達成するために考案されたものであり、請求項１の考案は、クロスフレームを介設し下面にキャスタを連結する左右のベースフレームと前記クロスフレームの近傍に併設されるベース板を有し該ベース板の左右端から立上り前記ベースフレーム側に回動可能に枢支されるスイングフレームと該スイングフレームに回動可能に、かつ取り外し可能に保持され人間の尻部を支持する座面シート等とを有する介護用歩行器の前記スイングフレームを水平状態や立上り状態に固持すると共に固持を開放すべく形成される前後の保持固定具であって、該保持固定具の内の後部保持固定具は、前記スイングフレームの下面側に配置され前記クロスフレームに左右及び前後に移動可能に取り付けられその先端部に前記スイングフレームの下方側に係着すると共に前記ベースフレーム側に固定されるロックスライダに係着する係着部を有するストッパープレート及びロックスライダとからなり、前記ロックスライダは前記ベースフレームに固着する後部サポート本体と該後部サポート本体に移動可能にスプリング保持され前記ストッパープレートの係着部に係着する係着部を形成する後部係着スライダとからなり、前記保持固定具の内の前部保持固定具は、前記ベースフレームに固着する前部サポート本体と該前部サポート本体に移動可能にスプリング保持されると共に前記スイングフレームに凹設されている凹溝に着脱可能に係着する係着部を有する前部係着スライダと該前部係着スライダの前記係着部が前記スライダフレームの凹溝から開放された状態において前記前部係着スライダをその位置に保持する保持プレートを左右の前記保持固定具のいずれかに形成するものからなり、前記後部保持固定具は前記スイングフレームを立上り状態に保持固定するものからなり、前記前部保持固定具は前記スイングフレームを水平状態に保持固定するものからなることを特徴とする。
【考案の効果】
【０００８】  本考案の介護用歩行器におけるスイングフレームの保持固定具は回動するスイングフレームが立上り状態にある時にはその下面に係止するストッパープレートで固定すると共に開放時にはストッパープレートを移動させてロックスライドの後部係着スライダに係着することによりスイングフレームは自由状態となり回動可能になる。一方、収納時においては自由状態になるスイングフレームを水平位置に倒すことによりスイングフレームの凹溝に前部係着スライダが係着してスイングフレームを水平状態に固定する。一方、その状態を開放するには保持プレートを開放して前記係着スライダを前記凹溝から開放することによりスイングフレームは自由状態となる。
以上のように立上り状態や水平状態にあるスイングフレームの固持や開放が簡単に、かつ確実に行われる。
【図面の簡単な説明】
【０００９】
【図１】介護用歩行器の全体構造を示す斜視図（ａ）とこの状態から座面シートを取り外し立上り状態にした介護用歩行器を示す斜視図（ｂ）と（ｂ）の状態にあったスイングフレームを立上り状態から収納のため水平状態に倒した状態を示す斜視図（ｃ）を示す。後部保持固定具１００と前部保持固定具２００とは図示の位置にある。
【図２】後部保持固定具の構造とそのストッパープレートが立上り状態にあるスイングフレームを固持している状態を示す図（ａ）とストッパープレートが移動してロックスライダに係着してスイングフレームを自由状態に開放した状態を示す図（ｂ）。
【図３】ストッパープレート及びロックスイッチの後部係着スライダの先端の係着部の構造を示す図（ａ）とストッパープレートと後部係着スライダが係着した状態を示す図（ｂ）。
【図４】前部保持固定具２００の全体構造を示す図。
【図５】前部保持固定具の前部係着スライダのスイングフレームの凹溝に係着可能な状態を示す図（ａ）と保持プレートのない前部保持固定具のスイングフレームの凹溝に係着可能な状態を示す図（ｂ）。
【考案を実施するための形態】
【００１０】  以下、本考案の介護用歩行器におけるスイングフレームの保持固定具の実施の形態を前記図面を参照して詳述する。
なお、下記の実施例は図１に示した形態の介護用歩行器について説明したものであり、保持固定具としては図１に示すもの以外の類似する形態の歩行器に適用可能であることは勿論である。
【実施例】
【００１１】  図１（ａ）に示すように介護用歩行器は概略次の構造のものからなる。
左右のベースフレーム９，９は下面にキャスタ１０を有するものからなり、ベースフレーム９，９にはクロスフレーム１１が介設されてＨ型のフレームを形成する。スイングフレーム１２はベース板１３を有しその左右端から立上るフレーム１２ａ，１２ａとからなる。なお、フレーム１２ａ，１２ａは更に詳細な構造のものからなるがその説明は省略する。また、スイングフレーム１２は高さ調整可能に形成されているがその構造説明も省略する。スイングフレーム１２には人間の尻部の当る座面シート１４が着脱可能に連結され座面シート１４は外方に向かって回動出来る構造であり、かつスイングフレーム１２から容易に離脱出来る構造のものからなるがその構造説明も省略する。
本考案の介護用歩行器におけるスイングフレームの保持固定具は図１において１００及び２００で示されてあり、その詳細構造は以下において説明する。【００１２】  後部保持固定具１００は棒状のストッパープレート１とロックスライダ２とからなる。ストッパープレートは図２に示すようにクロスフレーム１１の下面側に配置され、クロスフレーム１１の長手方向（左右方向）及びこれと直交する方向に移動可能に配置される。ストッパープレート１は前記のように棒状のものからなりその先端は図３（ａ）に示すように係着部３が形成される。この係着部３は図２（ａ）に示すようにスイングフレーム１２の下面のコーナに係着する係着部３ａと図２（ａ），（ｂ）に示すようにロックスライダ２に係着する係着部３ｂとからなる。【００１３】  ロックスライダ２は図２に示すようにベースフレーム９側に固着している後部サポート本体４とこれに移動可能にスプリング支持（図示されていない）されている後部係着スライダ５とからなり、後部係着スライダ５の先端にはストッパープレート１の係着部３ｂに係着する係着部５ａが形成されている。【００１４】  以上の構造によりストッパープレート１の係着部３ａが図３に示す係着状態にある時はスイングフレーム１２は立上った状態に固持される。
一方、図２（ｂ）に示すようにストッパープレート１が左右方向及び前後方向に移動することによりストッパープレート１とスイングフレーム１２との固持が解消されると共にストッパープレート１の係着部３ｂがロックスライダ２の係着部５ａに係着し、その移動が拘束される。従って、スイングフレーム１２は自由に回動出来る状態となる。【００１５】  次に、前部保持固定具２００の構造を図４により説明する。
前部保持固定具２００はベースフレーム９側に固着する前部サポート本体６とこれに移動可能にスプリング支持（図示されていない）されている前部係着スライダ７と保持プレート８等とからなる。なお、保持プレート８は図５に示すように左右の一方側のみに設けられている図５（ａ）は保持プレート８のあるものであり図５（ｂ）はないものである。図４，図５等には明示されていないがスイングフレーム１２が水平方向に倒れた場合には前部係着スライダ７の係着部７ａが図３（ａ）と示されているスイングフレーム１２の凹溝１２ｂの１つにスプリング力により係着しスイングフレーム１２を水平状態に固持することによる。また、この固持の開放は前部係着スライダ７の押圧部７ｂを押圧し保持プレート８によりその状態を保持させることにより行われる。これによりスイングフレーム１２は回動可能となる。
しかしながら、人間には２本の手しかないためスイングフレーム１２を回動させるには保持プレート８の設置されていない側の前部保持固定具２００の押圧部７ｂを一方の手で作動しながらもう一方の手でスイングフレーム１２を回動させることになる。【００１６】  次に、図１を用いて本考案の介護用歩行器におけるスイングフレームの保持固定具の回動動作を説明する。
図１（ａ）は介護用歩行器の使用状態における構造を示すものであり、この状態ではスイングフレーム１２は固持状態にあり座面シート１４も取り付けられている状態を示す。【００１７】  図１（ｂ）はスイングフレーム１２を水平方向に倒して収納する場合を示す。まず、図示のように座面シート１４をスイングフレーム１２から取り外すと共にスイングフレーム１２の固持を開放する。
次に、図１（ｃ）に示すようにスイングフレーム１２を把持してこれを水平方向に倒す。ここで前記のように前部保持固定具２００が作用しスイングフレーム１２は水平状態に固定される。【００１８】  図１（ｃ）の状態からスイングフレーム１２を立上り方向に回動するには前記したように前部保持固定具２００の固定を開放してスイングフレーム１２を持ち上げ、後部保持固定具１００を固持状態に作用させ座面シート１４を取り付けることにより図１（ａ）に示した状態にすることが出来る。【００１９】  本考案は以上の説明の内容からなるが本考案は以上の内容に限定するものではなく、同一技術的範疇のものが適用されることは勿論である。
【産業上の利用可能性】
【００２０】  本考案は実施例に示した介護用歩行器にのみ適用されるものではなく、回動する部材の保持固持を必要とする部所にも適用可能であり、その利用範囲は極めて広い。
【符号の説明】
【００２１】  １      ストッパープレート
２      ロックスライダ
３      係着部
３ａ    係着部
３ｂ    係着部
４      後部サポート本体
５      後部係着スライダ
５ａ    係着部
６      前部サポート本体
７      前部係着スライダ
７ａ    係着部
７ｂ    押圧部
８      保持プレート
９      ベースフレーム
１０    キャスタ
１１    クロスフレーム
１２    スイングフレーム
１２ａ  フレーム
１２ｂ  凹溝
１３    ベース板
１４    座面シート
１００  後部保持固定具
２００  前部保持固定具
【図１】
0003203836.tif 000003
【図２】
0003203836.tif 000004
【図３】
0003203836.tif 000005
【図４】
0003203836.tif 000006
【図５】
0003203836.tif 000007